(57)【要約】【課題】ねじ止めを行うことなく、操作部を回路基板に取り付けることができる操作部ユニットを提供すると共に、該操作部ユニットを回路基板に取り付けてなる回路基板ユニットを提供する。【解決手段】回路支持板２の長手縁に沿って、操作スイッチ２０ｂを支持する矩形のスイッチ支持板３を設け、回路支持板２上に回路支持台２ａ及び回路支持片２ｂを設けて、回路支持台２ａ及び回路支持片２ｂにて回路基板５０を支持する。またスイッチ支持板３の両端部の縁から可撓板２１、２６を突出させて、該可撓板２１、２６の突出端部に二つの係止突部をそれぞれ設け、係止突部を回路基板５０の切欠５０ｅ、５０ｅに係合させて、ねじを使用することなく、短時間で回路基板ユニットを組み立てる構成とした。【選択図】図１
2010040390.tif 000002
【特許請求の範囲】
【請求項１】
回路基板の一面を支持する支持体を立設してある回路支持板と、前記回路基板の回路への入力のために操作される操作部を支持しており、前記回路支持板に立設してある操作部支持板とを備え、前記回路基板を前記回路支持板にて支持し、前記操作部支持板に支持された前記操作部を前記回路基板に取り付けるための操作部ユニットであって、
前記操作部支持板の縁から、前記回路基板の縁を押圧するための可撓板が突出しており、
該可撓板の突出端部に、前記回路基板の縁に係止する係止突部を設けてあること
を特徴とする操作部ユニット。
【請求項２】
前記操作部支持板は四角形をなし、
前記操作部支持板の一縁が前記回路支持板に連なっており、
前記可撓板を二つ備え、
両可撓板は、前記操作部支持板の一縁に隣接する二つの他縁からそれぞれ突出していること
を特徴とする請求項１に記載の操作部ユニット。
【請求項３】
前記係止突部は角錐台状をなし、
前記係止突部の側面に、前記回路基板の他面に係止される係止片を設けてあること
を特徴とする請求項１又は２に記載の操作部ユニット。
【請求項４】
前記可撓板と前記操作部支持板とは連なっており、
前記可撓板と前記操作部支持板とが連なっている部分に固定されており、前記回路基板の角部に接触して前記回路基板を位置決めする位置決め片を備えること
を特徴とする請求項１から３のいずれか一つに記載の操作部ユニット。
【請求項５】
前記係止片と前記位置決め片とは、前記回路基板の一面を前記支持体にて支持した場合に、前記回路基板の他面に接触するように配置してあることを特徴とする請求項４に記載の操作部ユニット。
【請求項６】
前記可撓板に、前記回路基板の縁に当接する突起部が設けてあり、
該突起部は、前記係止突部と前記操作部支持板との間に配置してあること
を特徴とする請求項１から５のいずれか一つに記載の操作部ユニット。
【請求項７】
前記操作部は手動で操作されるスイッチであることを特徴とする請求項１から６のいずれか一つに記載の操作部ユニット。
【請求項８】
回路基板の一面を支持する支持体を立設してある回路支持板と、前記回路基板の回路への入力のために操作される操作部を支持しており、前記回路支持板に立設してある操作部支持板とを備え、前記回路基板を前記回路支持板にて支持し、前記操作部支持板に支持された前記操作部を前記回路基板に取り付けるための操作部ユニットを前記回路基板に取り付けてなる回路基板ユニットであって、
前記操作部支持板の縁から、前記回路基板の縁を押圧するための可撓板が突出しており、
該可撓板の突出端部に、前記回路基板の縁に係止する係止突部を設けてあり、
前記回路基板の縁に切欠が形成してあり、
該切欠に前記係止突部を係止してあること
を特徴とする回路基板ユニット。
【発明の詳細な説明】
【技術分野】
【０００１】
本発明は、回路への入力のために操作される操作部を有する操作部ユニット及び該操作部ユニットを回路基板に取り付けてなる回路基板ユニットに関する。
【背景技術】
【０００２】
電気機器は、多数の部品を組み立てて製造されるため、短時間で電気機器を製造するには、電気機器の組み立て工程を削減する必要があり、以前より、複数の部品をユニットにして、電気機器の組み立て工程を削減することが行われている。
【０００３】
例えば特許文献１には、電気機器の操作を行うための操作スイッチを一体化したフロントパネルが記載されている。該フロントパネルは、プッシュスイッチを実装してある回路基板にねじ止めしてあり、操作スイッチの操作により、プッシュスイッチが押圧され、回路基板の回路にオン・オフ信号が入力されるようにしてある。
【０００４】
特許文献１に記載のフロントパネルによれば、操作スイッチをフロントパネルに取り付ける工程が削減され、電気機器の製造時間を短縮することができる。
【特許文献１】登録実用新案公報第３０９００３７号公報
【発明の開示】
【発明が解決しようとする課題】
【０００５】
しかし特許文献１に記載のフロントパネルは回路基板にねじ止めされていることから、回路基板への取り付けには長時間を要しており、更なる電気機器の製造効率の向上が求められている。
【０００６】
本発明は斯かる事情に鑑みてなされたものであり、ねじ止めを行うことなく、回路への入力のために操作される操作部を回路基板に取り付けることができる操作部ユニットを提供すると共に、該操作部ユニットを回路基板に取り付けてなる回路基板ユニットを提供することを目的とする。
【課題を解決するための手段】
【０００７】
本発明に係る操作部ユニットは、回路基板の一面を支持する支持体を立設してある回路支持板と、前記回路基板の回路への入力のために操作される操作部を支持しており、前記回路支持板に立設してある操作部支持板とを備え、前記回路基板を前記回路支持板にて支持し、前記操作部支持板に支持された前記操作部を前記回路基板に取り付けるための操作部ユニットであって、前記操作部支持板の縁から、前記回路基板の縁を押圧するための可撓板が突出しており、該可撓板の突出端部に、前記回路基板の縁に係止する係止突部を設けてあることを特徴とする。
【０００８】
本発明においては、支持体を立設してある回路支持板に操作部支持板を設け、操作部支持板の縁から可撓板を突出させて、該可撓板の突出端部に係止突部を設け、前記支持体にて回路基板の一面を支持すると共に、係止突部を回路基板の縁に係止して、操作部ユニットを回路基板に取り付ける。
【０００９】
本発明に係る操作部ユニットは、前記操作部支持板は四角形をなし、前記操作部支持板の一縁が前記回路支持板に連なっており、前記可撓板を二つ備え、両可撓板は、前記操作部支持板の一縁に隣接する二つの他縁からそれぞれ突出していることを特徴とする。
【００１０】
本発明においては、操作部支持板の一縁に隣接する二つの他縁に可撓板をそれぞれ設け、両可撓板に、二つの係止突部をそれぞれ設けて、回路基板の両側に係止突部をそれぞれ係止し、操作部ユニットを回路基板に安定に取り付ける。
【００１１】
本発明に係る操作部ユニットは、前記係止突部は角錐台状をなし、前記係止突部の側面に、前記回路基板の他面に係止される係止片を設けてあることを特徴とする。
【００１２】
本発明においては、前記係止突部の側面に、前記回路基板の他面に係止される係止片を設けて、係止突部が回路基板の縁に係止している場合に、係止片を回路基板の他面に係止させて、係止突部が回路基板の縁から外れることを防ぐ。
【００１３】
本発明に係る操作部ユニットは、前記可撓板と前記操作部支持板とは連なっており、前記可撓板と前記操作部支持板とが連なっている部分に固定されており、前記回路基板の角部に接触して前記回路基板を位置決めする位置決め片を備えることを特徴とする。
【００１４】
本発明においては、可撓板と操作部支持板とが連なっている部分に、位置決め片を設け、回路基板に操作部ユニットを取り付けた場合に、回路基板の角部を位置決め片に接触させて、回路基板に垂直な方向について、操作部ユニットと回路基板との位置決めを行う。
【００１５】
本発明に係る操作部ユニットは、前記係止片と前記位置決め片とは、前記回路基板の一面を前記支持体にて支持した場合に、前記回路基板の他面に接触するように配置してあることを特徴とする。
【００１６】
本発明においては、回路基板の一面を前記支持体にて支持した場合に、位置決め片と係止片とを回路基板の他面に接触するように配置して、回路基板に垂直な方向について操作部ユニットの位置決めを確実に行う。
【００１７】
本発明に係る操作部ユニットは、前記可撓板に、前記回路基板の縁に当接する突起部が設けてあり、該突起部は、前記係止突部と前記操作部支持板との間に配置してあることを特徴とする。
【００１８】
本発明においては、前記可撓板に突起部を設け、該突起部を、前記係止突部と前記操作部支持板との間に配置することにより、回路基板に操作部ユニットを取り付けた場合に、回路基板の縁と突起部とを当接させて、回路基板の縁に沿う方向について操作部ユニットの位置決めを行うことができる。
【００１９】
本発明に係る操作部ユニットは、前記操作部は手動で操作されるスイッチであることを特徴とする。
【００２０】
ユーザの操作のために電気機器の筐体から露出させる必要があるスイッチ、例えば手動で操作されるスイッチは、一般に回路基板にねじ止めされた後に筐体に取り付けられる。前記スイッチは回路基板へのねじ止め及び筐体への位置決めを行う必要があるため、筐体への前記スイッチの取り付けは長時間を有する。本発明においては、手動で操作されるスイッチを回路基板にねじを使用することなく予め取り付けることができるように構成することで、前記スイッチを回路基板に短時間で固定した後に、前記スイッチを筐体に位置決めして、電気機器の組み立てに要する時間を短縮することができる。
【００２１】
本発明に係る回路基板ユニットは、回路基板の一面を支持する支持体を立設してある回路支持板と、前記回路基板の回路への入力のために操作される操作部を支持しており、前記回路支持板に立設してある操作部支持板とを備え、前記回路基板を前記回路支持板にて支持し、前記操作部支持板に支持された前記操作部を前記回路基板に取り付けるための操作部ユニットを前記回路基板に取り付けてなる回路基板ユニットであって、前記操作部支持板の縁から、前記回路基板の縁を押圧するための可撓板が突出しており、該可撓板の突出端部に、前記回路基板の縁に係止する係止突部を設けてあり、前記回路基板の縁に切欠が形成してあり、該切欠に前記係止突部を係止してあることを特徴とする。
【００２２】
本発明においては、操作部ユニットを回路基板に取り付けた場合に、支持体が回路基板の一面を支持すると共に、係止突部が切欠に係合し、回路基板に操作部ユニットが確実に取り付けられる。
【発明の効果】
【００２３】
本発明に係る操作部ユニットは、支持体を有する回路支持板に操作部支持板を立設し、操作部支持板の縁から可撓板を突出させて、該可撓板の突出端部に係止突部を設ける。前記支持体に、回路支持板の一面を支持させて、係止突部を回路基板の縁に係止させて、操作部ユニットを回路基板に取り付けるので、ねじ止めを行うことなく、短時間で操作部ユニットを回路基板に取り付けることができる。また回路基板の縁に切欠を形成し、該切欠に係止突部を係合させて、操作部ユニットを回路基板に取り付けて、回路基板ユニットを予め組み立てておくことで、電気機器の製造効率を向上させることができる。
【発明を実施するための最良の形態】
【００２４】
以下本発明をその実施の形態を示す図面に基づいて詳述する。図１はスイッチユニット及び回路基板の略示分解斜視図、図２はスイッチユニットの略示斜視図、図３は係止突部付近の構成を略示する部分拡大斜視図、図４はスイッチユニットの略示平面断面図、図５は回路基板ユニットの略示斜視図である。なお図４において係止片を二点鎖線にて表記してある。
【００２５】
図において１はスイッチユニットであり、スイッチユニット１は、後述する回路基板５０を支持する矩形の回路支持板２を備えている。該回路支持板２上であって、回路支持板２の一端部に、回路支持板２に略直角な円錐台形の回路支持台２ａが設けてある。該回路支持台２ａは、回路支持板２の一端部の縁に沿って設けてある。また回路支持板２の他端部の縁に沿って、回路支持板２に略直角な板状の回路支持片２ｂが設けてある。
【００２６】
回路支持板２の長手縁に沿って、後述する操作スイッチ２０ｂ、２０ｂ、・・・、２０ｂを支持する矩形のスイッチ支持板３が立設している。該スイッチ支持板３の長手縁と回路支持板２の長手縁とは連なっている。またスイッチ支持板３の両端部は、回路支持板２の両端部の縁よりも外側にそれぞれ延出している。
【００２７】
スイッチ支持板３の一端部側に、矩形のスイッチ枠体２０が形成してある。該スイッチ枠体２０の内側に、複数のスイッチ孔２０ａ、２０ａ、・・・、２０ａが長手方向に沿って並設してあり、該スイッチ孔２０ａ、２０ａ、・・・、２０ａに、手動で操作される複数の操作スイッチ２０ｂ、２０ｂ、・・・、２０ｂがそれぞれ配置してある。操作スイッチ２０ｂ、２０ｂ、・・・、２０ｂは、複数の矩形の連結片２０ｃ、２０ｃ、・・・、２０ｃを介して、それぞれスイッチ支持板３に連結してある。連結片２０ｃの一端部は回路支持板２に連なっており、連結片２０ｃの他端部は、操作スイッチ２０ｂに連なっている。連結片２０ｃと操作スイッチ２０ｂとが連なっている部分に、連結片２０ｃに略直角な円筒形の複数のアーム２０ｄ、２０ｄ、・・・、２０ｄが、操作スイッチ２０ｂ、２０ｂ、・・・、２０ｂ毎に固着してある。アーム２０ｄは、前記回路支持板２に対向するように配してある。操作スイッチ２０ｂを押圧すると、連結片２０ｃが撓んでアーム２０ｄの先端が回路支持板２に接近する。なおスイッチ支持板３の一端部と回路支持板２の一端部とは、Ｌ字状の補強体２ｃによって連結してある。
【００２８】
スイッチ支持板３の一端部の縁から、スイッチ支持板３に略直角な可撓板２１が、回路支持板２側に突出している。可撓板２１は三角形状になっており、可撓板２１は、スイッチ支持板３に略直角な一縁２１ａを備える。また可撓板２１は、可撓板２１の一縁２１ａに対向しており、スイッチ支持板３に対して傾斜した他縁２１ｂを備えている。一縁２１ａは、回路支持板２寄りに位置しており、一縁２１ａと他縁２１ｂとの間の幅は、可撓板２１の突出端に向かうに従って縮まっている。
【００２９】
可撓板２１における回路支持板２側の面上であって、可撓板２１の突出端に、図４に示すように、角錐台状の係止突部２２が設けてある。係止突部２２は、可撓板２１の一縁２１ａに沿って配置してある。係止突部２２は、突出端に向かうに従って可撓板２１に接近する傾斜面２２ａを備えている。係止突部２２における傾斜面２２ａに隣接する側面に、前記回路支持板２に平行な矩形の係止片２３が固定してあり、該係止片２３と前記回路支持台２ａの頂面との間に、係止突部２２は位置している。
【００３０】
可撓板２１における回路支持板２側の面上であって、係止突部２２から適長離隔した位置に、半円柱形の突起部２４が設けてある。該突起部２４は、可撓板２１の一縁２１ａに沿って配置してある。また突起部２４は、係止突部２２とスイッチ支持板３との間に位置している。
【００３１】
スイッチ支持板３の他端部側には、矩形の端子枠体２５が形成してあり、該端子枠体２５の内側に、複数の端子孔２５ａ、２５ａ、・・・、２５ａが長手方向に沿って並設してある。スイッチ支持板３の他端部の縁から、スイッチ支持板３に略直角な可撓板２６が、回路支持板２側に突出している。可撓板２６は三角形状になっており、可撓板２６は、スイッチ支持板３に略直角な一縁２６ａを備える。また可撓板２６は、一縁２６ａに対向しており、スイッチ支持板３に対して傾斜した他縁２６ｂを備えている。一縁２６ａは、回路支持板２寄りに位置しており、一縁２６ａと他縁２６ｂとの間の幅は、可撓板２６の突出端に向かうに従って縮まっている。
【００３２】
可撓板２６における回路支持板２側の面上であって、可撓板２６の突出端に、角錐台状の係止突部２７が設けてある。係止突部２７は、可撓板２６の一縁２６ａに沿って配置してある。係止突部２７は、突出端に向かうに従って可撓板２６に接近する傾斜面２７ａを備えている。係止突部２７における傾斜面２７ａに隣接する側面に、前記回路支持板２に平行な矩形の係止片２８が固定してある。該係止片２８と前記回路支持片２ｂとの間に、係止突部２７は位置している。
【００３３】
可撓板２６における回路支持板２側の面上であって、係止突部２７から適長離隔した位置に、半円柱形の突起部２９が設けてある。該突起部２９は、可撓板２６の一縁２６ａに沿って配置してある。また突起部２９は、係止突部２７とスイッチ支持板３との間に位置している。
また可撓板２６とスイッチ支持板３とが連なって形成された角部分の内側に、回路支持板２に平行な矩形の位置決め片３０が固着している。該位置決め片３０と前記係止片２３、２８とは、回路支持板２に平行な同一面上に位置している。
【００３４】
なお回路支持片２ｂと係止片２８及び位置決め片３０との間のそれぞれの寸法は、後述する回路基板５０の厚さよりも若干大きくなっており、また回路支持台２ａと係止片２３との間の寸法も同様になっている。
【００３５】
次にスイッチユニット１を取り付ける回路基板５０について説明する。回路基板５０の実装面５０ａには、その一縁部５０ｃに沿って、複数のプッシュスイッチ５１、５１、・・・、５１が並んで実装してあり、プッシュスイッチ５１、５１、・・・、５１の隣には、複数の端子５２、５２、・・・、５２が、回路基板５０の一縁部５０ｃに沿って並んで実装してある。また回路基板５０の一縁部５０ｃに直角な二つの他縁部５０ｄ、５０ｄには、二つの矩形の切欠５０ｅ、５０ｅがそれぞれ形成されている。二つの切欠５０ｅ、５０ｅは、回路基板５０の一縁部５０ｃから適長離隔しており、一縁部５０ｃと切欠５０ｅ、５０ｅとの間の寸法は、前記係止突部２２、２７と前記スイッチ支持板３との間の寸法に略等しい。また切欠５０ｅ、５０ｅにおける他縁部５０ｄ、５０ｄに沿う方向の寸法は、前記係止片２３、２８における前記一縁２１ａ、２６ａに沿う方向の寸法よりも小さい。
【００３６】
次にスイッチユニット１の回路基板５０への取り付けについて説明する。図６は回路基板ユニットの係止突部２７と切欠５０ｅとの係合を説明する略示部分拡大平面図である。なお図６において係止片２８を二点鎖線にて表記してある。
まず回路基板５０の一縁部５０ｃと、前記スイッチ支持板３における回路支持板２側の面とを対向させる。そして回路基板５０の二つの他縁部５０ｄ、５０ｄと、二つの前記係止片２３、２８とをそれぞれ当接させて、図６（ａ）に示すように、可撓板２６を外側に撓ませる。このとき可撓板２６と同様に、可撓板２１を外側に撓ませる。そして、実装面５０ａの反対側にある回路基板５０の非実装面５０ｂを、前記回路支持片２ｂの頂部及び前記回路支持台２ａの頂面にて支持する。非実装面５０ｂを支持した状態で、スイッチユニット１と回路基板５０とを接近させ、図６（ｂ）に示すように、係止突部２７を一方の切欠５０ｅに係合させる。このとき係止突部２７と同様に、係止突部２２を他方の切欠５０ｅに係合させる。二つの係止突部２２、２７は、可撓板２１、２６の付勢力によって、切欠５０ｅ、５０ｅを押圧し、スイッチユニット１は回路基板５０に固定される。
【００３７】
アーム２０ｄ、２０ｄ、・・・、２０ｄの先端は、プッシュスイッチ５１、５１、・・・、５１に対向した位置に配される。このため操作スイッチ２０ｂの押圧によって、プッシュスイッチ５１はアーム２０ｄの先端に押圧され、プッシュスイッチ５１からオン信号又はオフ信号が、回路基板５０に形成された回路へ入力される。また端子５２、５２、・・・、５２は、端子孔２５ａ、２５ａ、・・・、２５ａに挿入される。
【００３８】
係止片２３、２８は、切欠５０ｅ、５０ｅの縁部分に係止されている。また前記位置決め片３０は、実装面５０ａ側において、回路基板５０の一縁部５０ｃと回路基板５０の他縁部５０ｄとによって形成された回路基板５０の角部分と接触するようにしてある。二つの突起部２４、２９は、回路基板５０の二つの他縁部５０ｄ、５０ｄにそれぞれ接触するようにしてある。係止突部２２、２７を切欠５０ｅ、５０ｅに係合させることによって、スイッチユニット１は回路基板５０に取り付けられ、回路基板ユニットが組み立てられる。
【００３９】
実施の形態に係るスイッチユニット１にあっては、矩形の回路支持板２の長手縁に沿って、矩形のスイッチ支持板３を設け、該スイッチ支持板３に操作スイッチ２０ｂを設ける。また回路支持板２上に回路支持台２ａ及び回路支持片２ｂを設け、スイッチ支持板３の端部の縁から可撓板２１、２６を突出させて、該可撓板２１、２６の突出端部に係止突部２２、２７を設ける。このため前記回路支持板２に対向するように回路基板５０を配置した場合に、前記回路支持台２ａ及び回路支持片２ｂに、回路基板５０の非実装面５０ｂを支持させることができる。また前記係止突部２２、２７を回路基板５０の縁に接触させて、前記可撓板２１、２６を撓ませると共に、前記係止突部２２、２７を前記切欠５０ｅ、５０ｅに接近させ、前記可撓板２１、２６の付勢力によって、前記係止突部２２、２７を前記切欠５０ｅ、５０ｅに係合させて、スイッチユニット１を回路基板５０に取り付けることができる。このためねじを使用することなく、短時間で回路基板ユニットを組み立てることができる。また切欠５０ｅ、５０ｅに係止突部２２、２７を係合しているので、他縁部５０ｄに沿う方向について、スイッチユニット１の位置決めを行うことができる。
【００４０】
また実施の形態に係るスイッチユニット１にあっては、二つの可撓板２１、２６を設け、両可撓板２１、２６に、二つの係止突部２２、２７をそれぞれ設け、二つの切欠５０ｅ、５０ｅに二つの係止突部２２、２７をそれぞれ係合させることによって、スイッチユニット１を回路基板５０の両側に固定し、スイッチユニット１を回路基板５０に安定に取り付けることができる。
【００４１】
また実施の形態に係るスイッチユニット１にあっては、前記係止突部２２、２７の側面に、前記回路支持板２に対向する係止片２３、２８を設けて、係止突部２２、２７が前記切欠５０ｅ、５０ｅに係合させた場合に、実装面５０ａにて、係止片２３、２８を切欠５０ｅ、５０ｅの縁部分に係止させて、係止突部２２、２７が切欠５０ｅ、５０ｅから外れることを防ぐことができる。
【００４２】
また実施の形態に係るスイッチユニット１にあっては、可撓板２６とスイッチ支持板３とが連なっている部分に、位置決め片３０を設け、該位置決め片３０と前記係止片２３、２８とを前記回路支持板２に対向する同一面上に配置して、回路基板５０にスイッチユニット１を取り付けた場合に、回路基板５０の実装面５０ａを位置決め片３０と係止片２３、２８とによって支持し、回路基板５０に垂直な方向について、回路基板５０とスイッチユニット１との位置決めを行うことができる。なお可撓板２１とスイッチ支持板３とが連なっている部分に、位置決め片を更に設けても良い。
【００４３】
また実施の形態に係るスイッチユニット１にあっては、係止片２３、２８とスイッチ支持板３との間において、前記可撓板２１、２６に突起部２４、２９を設けることにより、回路基板５０にスイッチユニット１を取り付けた場合に、他縁部５０ｄ、５０ｄと突起部２４、２９とを当接させて、突起部２４、２９にて他縁部５０ｄ、５０ｄを支持し、回路基板５０に垂直な方向のみならず一縁部５０ｃに沿う方向について、スイッチユニット１を位置決めすることができる。
【００４４】
また実施の形態に係る回路基板ユニットにあっては、スイッチユニット１を回路基板５０に取り付けた場合に、回路支持台２ａ及び回路支持片２ｂが回路基板５０の非実装面５０ｂを支持すると共に、係止突部２２、２７と切欠５０ｅ、５０ｅとが係合し、回路基板５０にスイッチユニット１が取り付けられる。このとき前記係止片２３、２８は、前記切欠５０ｅ、５０ｅの縁部分に係止され、該係止により、係止突部２２、２７が切欠５０ｅ、５０ｅから外れることを防ぐことができる。更に前記位置決め片３０と前記係止片２３、２８とを、前記回路支持板２に対向する同一面上に配置することによって、実装面５０ａが、前記位置決め片３０と前記係止片２３、２８とにより支持され、また係止片２３、２８とスイッチ支持板３との間において、前記可撓板２１、２６に突起部２４、２９を設けることにより、他縁部５０ｄと突起部２４、２９とが当接し、突起部２４、２９は他縁部５０ｄを支持するので、回路基板５０に垂直な方向、一縁部５０ｃに沿う方向、及び他縁部５０ｄに沿う方向について、スイッチユニット１を位置決めすることができる。また回路基板５０の製造段階で、回路基板５０にスイッチユニット１を取り付けて、回路基板ユニットを予め組み立てておくことで、電気機器の製造効率を向上させることができる。
【００４５】
また実施の形態に係る回路基板ユニットにあっては、回路基板５０の縁部分に形成した切欠５０ｅ、５０ｅに、係止突部２２、２７を係合する構成になっており、回路基板５０の縁部分に電子部品を実装することはないため、電子部品を実装するための面積を減少させることなく、スイッチユニット１を回路基板５０に取り付けることができる。
【００４６】
なお実施の形態に係るスイッチユニット１は、押圧することによってオン信号又はオフ信号を回路に入力することができる操作スイッチ２０ｂを備えているが、操作スイッチ２０ｂに代えて回動式のボリュームスイッチその他のスイッチを設けても良い。
【図面の簡単な説明】
【００４７】
【図１】実施の形態に係るスイッチユニット及び回路基板の略示分解斜視図である。
【図２】実施の形態に係るスイッチユニットの略示斜視図である。
【図３】実施の形態に係るスイッチユニットにおける係止突部付近の構成を略示する部分拡大斜視図である。
【図４】実施の形態に係るスイッチユニットの略示平面断面図である。
【図５】実施の形態に係る回路基板ユニットの略示斜視図である。
【図６】実施の形態に係る回路基板ユニットの係止突部と切欠との係合を説明する略示部分拡大平面図である。
【符号の説明】
【００４８】
１  スイッチユニット（操作部ユニット）
２  回路支持板
３  スイッチ支持板（操作部支持板）
２ａ  回路支持台（支持体）
２ｂ  回路支持片（支持体）
２０ｂ  操作スイッチ（操作部、スイッチ）
２１、２６  可撓板
２２、２７  係止突部
２３、２８  係止片
２４、２９  突起部
３０  位置決め片
５０  回路基板
５０ｅ  切欠
【図１】
2010040390.tif 000003
【図２】
2010040390.tif 000004
【図３】
2010040390.tif 000005
【図４】
2010040390.tif 000006
【図５】
2010040390.tif 000007
【図６】
2010040390.tif 000008